(57)【要約】【課題】湯水混合水栓を通過する湯水によって生じる異音を抑制することができる湯水混合バルブユニットを提供する。【解決手段】湯水混合バルブユニット１０は、ハウジング１０ａに固定され、給湯が通過する給湯流入孔部と、給水が通過する給水流入孔部と、湯水が通過する湯水流出孔部と、を有するパッキンガイド７と弁座８とからなる固定弁体１２と、固定弁体１２の上端面に配置され、複数の孔部と連通する混合室が形成され、給湯流入孔部及び給水流入孔部を開放する開放位置から給湯流入孔部及び給水流入孔部を閉止する閉止位置まで摺動可能な可動弁体９と、を備え、湯水流出孔部７ａから流出する湯水を、湯水流出部７ａと連通する水栓本体の配管の一方向の壁面に向かって流出させるための通水部を有する嵌込部材１１を湯水流出孔部７ａに着脱可能に嵌め込んでいる。【選択図】図３
2010084859.tif 000002
【特許請求の範囲】
【請求項１】
給湯源から供給される給湯と給水源から供給される給水とを混合した湯水を吐止水する湯水混合水栓に組み込まれる湯水混合バルブユニットであって、
ハウジングに固定され、前記給湯が通過する給湯流入孔部と、前記給水が通過する給水流入孔部と、前記湯水が通過する湯水流出孔部と、を有する固定弁体と、
前記固定弁体の一端面に配置され、複数の前記孔部と連通する混合室が形成され、前記給湯流入孔部及び前記給水流入孔部を開放する開放位置から前記給湯流入孔部及び前記給水流入孔部を閉止する閉止位置まで摺動可能な可動弁体と、を備え、
前記湯水流出孔部から流出する前記湯水を、前記湯水流出部と連通する水栓本体の配管の一方向の壁面に向かって流出させるための通水部を前記湯水流出孔部に設けたことを特徴とする湯水混合バルブユニット。
【請求項２】
前記湯水流出孔部に、少なくとも複数の前記通水部を設け、前記通水部は、流れ方向の長さが通水部断面の最大幅以上となることを特徴する請求項１に記載の湯水混合バルブユニット。
【請求項３】
前記複数の通水部を、鉛直方向に対して同一方向に傾斜させたことを特徴とする請求項２に記載の湯水混合バルブユニット。
【請求項４】
前記複数の通水部を、前記給湯流入孔部及び前記給水流入孔部より前記湯水流出孔部が接近する前記固定弁体の外周部に向かって同一方向に傾斜させたことを特徴とする請求項２又は３に記載の湯水混合バルブユニット。
【請求項５】
前記湯水流出孔部に嵌め込まれる嵌込部材に前記通水部を形成したことを特徴とする請求項１〜４の何れか１項に記載の湯水混合バルブユニット。
【請求項６】
給湯源から供給される給湯と給水源から供給される給水を混合した湯水を吐止水する湯水混合水栓に組み込まれる湯水混合バルブユニットであって、
ハウジングに固定され、前記給湯と前記給水の各々が通過する給湯流入孔部、給水流入孔部と、前記湯水が通水する湯水流出孔部が形成された固定弁体と、
前記固定弁体の一端面に配置され、複数の前記孔部と連通する混合室が形成され、前記給湯流入孔部と前記給水流入部とを開放する開放位置から閉止する閉止位置まで摺動可能な可動弁体と、を備え、
前記湯水流出孔部に複数の通水部を設け、前記通水部の湯水流動方向の長さを、前記通水部の湯水流動方向と直交する横断面の最大幅以上としたことを特徴とする湯水混合バルブユニット。
【発明の詳細な説明】
【技術分野】
【０００１】
本発明は、給湯源及び給水源からそれぞれ個別に供給される湯と水とを所定の比率で混合した湯水を吐止水する機能を有する湯水混合水栓に組み込まれる湯水混合バルブユニットに関する。
【背景技術】
【０００２】
台所水栓などに使われる湯水混合機能を有するコンパクトシングルカートリッジは、バルブ材料のＳｉＣ−Ｃ化により操作性が良くなり、ノングリース化が実現されているが、コンパクト化されたことによって通水路も小さくなるため、湯水を吐出する際に異音が発生しやすい状況となっている。このような異音は、バルブの通水路や固定弁体の吐水口部分などにおける場所ごとの流速の違い（特に、通水路断面積方向の流速変化）に起因する噴流や過流あるいはキャビテーションの発生が原因となっている。
【０００３】
本願発明に関連する先行技術として、例えば、特許文献１記載の「制御円板式弁用のパッキン保持体」がある。この「制御円板式弁用のパッキン保持体」においては、給湯と給水を個別に流入させるために固定弁体に開設された給湯流入部と給水流入部の形状、及び混合された湯水を流出させるために固定弁体に開設された湯水流入部の形状を、それぞれ流下方向に向かって漏斗状の先細り形状とすることによって異音の発生を防いでいる。
【０００４】
【特許文献１】特開昭５５−６０７６９号公報
【発明の開示】
【発明が解決しようとする課題】
【０００５】
特許文献１記載の湯水混合バルブユニットは、給湯流入部、給水流入部及び湯水流出部の形状がそれぞれ漏斗状の先細り形状であるため、流量減少による異音の抑制効果が生じているが、噴流や渦流等に起因する異音発生を抑制するまでには至っていないのが実状である。
【０００６】
一般的な異音防止手段として、バルブ内の通水路に整流網を設ける技術が知られているが、整流網によって異音発生を防ぐ効果が生じる一方、整流網にゴミが詰まるといった別の問題が発生する。また、整流網を設けることにより、部品点数が増加するため、コストアップに繋がるだけでなく、組立工程の煩雑化を招く。そこで、整流網等の新たな部品を追加することなく、異音の発生を抑制することのできる技術が求められている。
【０００７】
本発明が解決しようとする課題は、湯水混合水栓を通過する湯水によって生じる異音を抑制することができる湯水混合バルブユニットを提供することにある。
【課題を解決するための手段】
【０００８】
本発明の湯水混合バルブユニットは、給湯源から供給される給湯と給水源から供給される給水とを混合した湯水を吐止水する湯水混合水栓に組み込まれる湯水混合バルブユニットであって、
ハウジングに固定され、前記給湯が通過する給湯流入孔部と、前記給水が通過する給水流入孔部と、前記湯水が通過する湯水流出孔部と、を有する固定弁体と、
前記固定弁体の一端面に配置され、複数の前記孔部と連通する混合室が形成され、前記給湯流入孔部及び前記給水流入孔部を開放する開放位置から前記給湯流入孔部及び前記給水流入孔部を閉止する閉止位置まで摺動可能な可動弁体と、を備え、
前記湯水流出孔部から流出する前記湯水を、前記湯水流出部と連通する水栓本体の配管の一方向の壁面に向かって流出させるための通水部を前記湯水流出孔部に設けたことを特徴とする。
【０００９】
このような構成とすれば、湯水流出孔部から流出される湯水は、水栓本体の一方向の壁面に向かって流出し、当該湯水は壁面に衝突するように流出されるため、湯水流出孔部から湯水が流出する際に発生する噴流が発生し難くなり、異音を抑制することができる。
【００１０】
ここで、前記湯水流出孔部に、少なくとも複数の前記通水部を設け、前記通水部は、流れ方向の長さが通水部断面の最大幅以上となることが望ましい。このような構成とすれば、複数の通水部が存在することにより、湯水流出孔部を流れる湯水の流れを整流化することができるため、異音を減少させることができる。
【００１１】
この場合、前記複数の通水部を、鉛直方向に対して同一方向に傾斜させることが望ましい。このような構成とすれば、同一方向に傾斜した複数の通水路を湯水が通過することにより当該湯水は壁面に衝突するように流出されるので、湯水流出孔部から湯水が流出する際に発生する噴流が発生し難くなり、異音を減少させることができる。
【００１２】
さらに、前記複数の通水部を、前記給湯流入孔部及び前記給水流入孔部より前記湯水流出孔部が接近する前記固定弁体の外周部に向かって同一方向に傾斜させることもできる。
【００１３】
このような構成とすれば、複数の通水部が、給湯流入孔部及び給水流入孔部から混合室に向かい、さらに湯水流出孔部に向かって流れる湯水の流れ方向を急激に変化させることなく、湯水流出孔部から水栓本体に流す作用を発揮するので、湯水流出孔部に流入してくる湯水の流れの方向が急激に変化することがなくなり、異音を減少させることができる。
【００１４】
また、前記湯水流出孔部に嵌め込まれる嵌込部材に前記通水部を形成すれば、複雑な通水部を一体の部材として固定弁体に形成する必要がなくなるため、部材の簡素化を図ることができる。
【００１５】
一方、本発明の湯水混合バルブユニットは、給湯源から供給される給湯と給水源から供給される給水を混合した湯水を吐止水する湯水混合水栓に組み込まれる湯水混合バルブユニットであって、
ハウジングに固定され、前記給湯と前記給水の各々が通過する給湯流入孔部、給水流入孔部と、前記湯水が通水する湯水流出孔部が形成された固定弁体と、
前記固定弁体の一端面に配置され、複数の前記孔部と連通する混合室が形成され、前記給湯流入孔部と前記給水流入部とを開放する開放位置から閉止する閉止位置まで摺動可能な可動弁体と、を備え、
前記湯水流出孔部に複数の通水部を設け、前記通水部の湯水流動方向の長さを、前記通水部の湯水流動方向と直交する横断面の最大幅以上としたことを特徴とする。
【００１６】
このような構成とすれば、湯水流動方向の長さがその最大幅より大である複数の通水部を具備した構造となり、湯水流出孔部を流動する湯水の流れを整流化することができるため、異音を抑制することができる。
【発明の効果】
【００１７】
本発明により、湯水混合水栓を通過する湯水によって生じる異音を抑制した湯水混合バルブユニットを提供することができる。
【発明を実施するための最良の形態】
【００１８】
以下、図面に基づいて本発明の実施の形態について説明する。図１は本発明の実施の形態である湯水混合バルブユニットが組み込まれた湯水混合水栓を示す垂直部分断面図、図２は図１におけるＡ−Ａ線断面図、図３は図１に示す湯水混合バルブユニットの拡大断面図、図４は図３に示す湯水混合バルブを構成する固定弁体及び嵌込部材を示す斜視図、図５は図４に示す固定弁体の側面図、図６は図４に示す固定弁体を下方から見た斜視図である。
【００１９】
図１，図２に示すように、湯水混合水栓１は、給湯源（図示せず）から供給される給湯と給水源（図示せず）から供給される給水とを混合して所定温度の湯水を吐止水する機能を有する。湯水混合水栓１は、設置面５に固定された本体部４と、本体部４の下方に水平方向に旋回可能に設けられた吐水部３と、本体部４の上端に回動可能及び傾動可能に取り付けられた操作レバー２と、を備えている。操作レバー２を上下に傾動させることによって吐水部３先端の吐水口３ａからの湯水の吐出、停止を行い、操作レバー２を左右に回動させることより吐水口３ａから吐出する湯水の温度調節を行う。
【００２０】
図１に示すように、湯水混合水栓１の本体部４下方に配置された水路部材６上に混合バルブユニット１０が配置されている。図３に示すように、混合バルブユニット１０は、ハウジング１０ａに固定された固定弁体１２と、固定弁体１２の上端面に配置された可動弁体９と、を備えている。可動弁体９の上方には、操作レバー２の動作を可動弁体９に伝達するための連接部材１３が支軸１４に傾動自在に軸支されている。操作レバー２を上下方向に傾動させると、連接部材１３を介して可動弁体９が固定弁体１２上を水平方向に摺動する。
【００２１】
図１，図２に示すように、水路部材６には、給湯源から供給される湯が流入する給湯路６ｈと、給水源から供給される水が流入する給水路６ｃと、混合バルブユニット１０にて混合された湯水を吐水部３へ流出させる湯水路６ａと、を備えている。なお、この湯水路６ａは後述する湯水流出孔部７ａに比べて一般的に内径の大きいものが使用される。
【００２２】
図１，図３に示すように、固定弁体１２は、水路部材６上に配置されたパッキンガイド７と、パッキンガイド７に嵌め込まれた嵌込部材１１と、パッキンガイド７上面に取り付けられた弁座８と、を備えている。
【００２３】
図４〜図６に示すように、パッキンガイド７は、水路部材６の給湯路６ｈから流入した湯が通過する給湯流入孔部７ｈと、給水路６ｃから流入した水が通過する給水流入孔部７ｃと、後述する混合室９ａ（図３参照）にて混合された湯水が通過する湯水流出孔部７ａ、とを備え、図３に示すように、この湯水流出孔部７ａに嵌込部材１１が着脱可能に嵌め込まれている。
【００２４】
図３に示すように、固定弁体１２を構成する弁座８の上端面に摺動可能に配置された可動弁体９は、複数の孔部（給湯流入孔部７ｈ、給水流入孔部７ｃ及び湯水流出孔部７ａ）と連通する混合室９ａを備えている。可動弁体９は、給湯流入孔部７ｈ及び給水流入孔部７ｃを開放する開放位置から、給湯流入孔部７ｈ及び給水流入孔部７ｃを閉止する閉止位置まで摺動可能である。
【００２５】
ここで、図４，図７〜図１０に基づいて、嵌込部材１１の構造、機能等について説明する。図７は図４に示す嵌込部材の斜視図、図８は図７に示す嵌込部材の底面図、図９は図７に示す嵌込部材の垂直断面図、図１０は図９に示す嵌込部材における湯水の流れを示す模式図である。
【００２６】
図７，８に示すように、嵌込部材１１は、略円柱状の本体部１１ａと、本体部１１ａの上端付近に嘴状に突設された係止部１１ｂと、本体部１１ａの上端面に形成された略円形の凹部１１ｃと、凹部１１ｃの底面１１ｄから本体部１１ａの底面１１ｇに向かって本体部１１ａを貫通するように開設された複数の通水部１１ｆと、を備えている。凹部１１ｃの底面１１ｄは、係止部１１ｂに向かって下り勾配をなすように傾斜している。図４に示すように、パッキンガイド７の湯水流出孔部７ａの上端寄りに形成された湾状の係止凹部７ｂに、嵌込部材１１の係止部１１ｂが嵌入する姿勢で嵌込部材１１を湯水流出孔部７ａに嵌め込めば、嵌込部材１１は湯水流出孔部７ａに回転不能に嵌め込まれる。
【００２７】
嵌込部材１１に開設された複数の通水部１１ｆは、湯水流出孔部７ａ（図４参照）を経由して流出する湯水を、湯水流出孔部７ａと連通する水栓本体部４の配管（図１に示す水路部材６の湯水路６ａ）の一方向の壁面６ｗに向かって流出させる機能を有する。即ち、図１０に示すように、湯水流出孔部７ａから流出される湯水が、水栓本体４の一方向の壁面６ｗに向かって流出することにより、当該湯水は壁面６ｗに衝突するように流出するため、湯水流出孔部７ａから湯水が流出する際に噴流が発生し難く、異音を抑制することができる。
【００２８】
複数の通水部１１ｆはいずれも、流れ方向Ｄの最短部の長さＬ１が通水部１１ｆ断面の最大幅１１ｅ以上に形成されているため、湯水流出孔部７ａを通過する湯水の流れが整流化され、異音を減少させることができる。また、図９に示すように、複数の通水部１１ｆが、鉛直方向に対して同一方向に傾斜していることにより、これらの通水部１１ｆを通過した湯水は壁面６ｗに衝突するように流出されるため、噴流が発生し難く、異音抑制に有効である。
【００２９】
さらに、複数の通水部１１ｆが、給湯流入孔部７ｈ及び給水流入孔部７ｃより湯水流出孔部７ａが接近する固定弁体１２の外周部に向かって同一方向に傾斜していることにより、複数の通水部１１ｆは全て外側に向かって傾斜した状態となる。このため、湯水流出孔部７ａに流入してくる湯水の流れの方向が急激に変化せず、異音減少に有効である。
【００３０】
また、本実施形態では、パッキンガイド７の湯水流出孔部７ａに嵌め込まれる嵌込部材１１に通水部１１ｆを形成しているため、複雑な通水部を固定弁体１２に形成する必要がなくなり、部材形状を簡素化することができる。なお、固定弁体１２若しくはこれを構成するパッキンガイド７に通水部を形成することもできる。
【００３１】
次に、図１１〜図３２を参照して、パッキンガイド７の湯水流出孔部７ａに嵌め込まれる嵌込部材に関するその他の実施の形態について説明する。なお、図１１〜図３２において図１〜図１０と同じ符号を付している部分は、混合バルブユニット１０の構成部分と同じ構造、機能等を有する部分であり、説明を省略する。
【００３２】
まず、図１１〜図１８に基づいて嵌込部材２１について説明する。図１１〜図１４は嵌込部材に関するその他の実施の形態を示す斜視図、図１５は図１１に示す嵌込部材の平面図、図１６は図１１に示す嵌込部材の底面図、図１７は図１１に示す嵌込部材の垂直断面図、図１８は図１１に示す嵌込部材における湯水の流れを示す模式図である。
【００３３】
図１１〜図１８に示すように、嵌込部材２１においては、略円柱状の本体部２１ａの上端面に形成された略円形の凹部２１ｃの底面２１ｄから本体部２１ａの底面２１ｇに向かって本体部２１ａを貫通するように複数の通水部２１ｆが形成されている。凹部２１ｃの底面２１ｄは、係止部１１ｂに向かって上り勾配をなすように傾斜している。係止部１１ｂ側に設けられた二つの通水部２１ｆの底面２１ｇ寄りの部分にはそれぞれ本体部２１ａ外周面に臨む開口２１ｈが設けられている。
【００３４】
図１７，図１８に示すように、複数の通水部２１ｆはいずれも水栓本体部４（図１参照）の中心線Ｃに向かって同一方向に傾斜するように形成されている。即ち、複数の通水部２１ｆは水栓本体部４の底面２１ｇに向かうにつれて中心線Ｃへ近づく方向に傾斜している。従って、図１８に示すように、複数の通水部２１ｆから流出される湯水は、湯水路６ａの中心線Ｃ側の壁面６ｖに衝突するように流出するため、通水部２１ｆから湯水が流出する際に噴流が発生し難く、異音を抑制することができる。
【００３５】
次に、図１９〜図２２に基づいて嵌込部材３１について説明する。図１９はその他の実施の形態である嵌込部材を示す平面図、図２０は図１９に示す嵌込部材の底面図、図２１は図１９に示す嵌込部材の垂直断面図、図２２は図１９に示す嵌込部材における湯水の流れを示す模式図である。
【００３６】
図１９〜図２２に示すように、嵌込部材３１においては、略円柱状の本体部３１ａの上端面３１ｃから本体部３１ａの底面３１ｇに向かって本体部３１ａを貫通する複数の通水部３１ｆが形成されている。上端面３１ｃは底面３１ｇと平行をなしている。複数の通水部３１ｆはいずれも途中から湯水路６ａの壁面６ｗに向かって折れ曲がっている。即ち、複数の通水部３１ｆの上方部分（上端面３１ｃ寄りの部分）は中心線Ｃと平行であるが、それぞれの下方部分（底面３１ｇ寄りの部分）は湯水路６ａの壁面６ｗに近づく方向（中心線Ｃから離れる方向）へ折れ曲がっている。
【００３７】
このような構成としたことにより、図２２に示すように、複数の通水部３１ｆから流出される湯水は、湯水路６ａの壁面６ｗに衝突するように流出するため、通水部３１ｆから湯水が流出する際に噴流が発生し難くなり、異音を抑制することができる。
【００３８】
次に、図２３〜図２９に基づいて、嵌込部材４１について説明する。図２３はその他の実施の形態である嵌込部材を示す斜視図、図２４は図２３に示す嵌込部材の斜視図、図２５は図２３に示す嵌込部材の平面図、図２６は図２３に示す嵌込部材の底面図、図２７は図２３に示す嵌込部材の模式図、図２８は図２３に示す嵌込部材の垂直断面図、図２９は図２３に示す嵌込部材における湯水の流れを示す模式図である。
【００３９】
図２３〜図２６に示すように、嵌込部材４１は、略円柱状の本体部４１ａと、本体部４１ａの上端面に形成された略円形の凹部４１ｃと、凹部４１ｃの底面４１ｄから本体部４１ａの底面４１ｇに向かって本体部４１ａを貫通するように開設された複数の通水部４１ｆと、を備えている。凹部４１ｃの底面４１ｄは、係止部１１ｂに向かって下り勾配をなすように傾斜している。
【００４０】
図２７，図２８に示すように、それぞれの通水部４１ｆの係止部１１ｂ寄りの部分は湯水路６ａの壁面６ｗに向かって傾斜しているが、これらと対向する部分には中心線Ｃと平行な平面部４１ｊが形成されている。従って、通水部４１ｆの上端側の開口部は円形であるが底面４１ｇ側の開口部４１ｈは半円形をなしている。
【００４１】
このように、嵌込部材４１に開設された複数の通水部４１ｆの係止部１１ｂ寄りの部分が湯水路６ａの壁面６ｗに向かって傾斜していることにより、図２９に示すように、通水部４１ｆから流出される湯水は壁面６ｗに衝突するように流出するため、湯水が流出する際に噴流が発生し難く、異音を抑制することができる。
【００４２】
次に、図３０〜図３２に基づいて嵌込部材５１について説明する。図３０はその他の実施の形態である嵌込部材の構造を模式的に示す斜視図、図３１は図３０に示す嵌込部材を別の角度から見た斜視図、図３２は図３０に示す嵌込部材の垂直断面図である。
【００４３】
図３０〜図３２に示すように、嵌込部材５１は、略円柱状の本体部５１ａと、本体部５１ａの上端面に形成された略円形の凹部５１ｃと、凹部５１ｃの底面５１ｄから本体部５１ａの底面５１ｇに向かって本体部５１ａを貫通するように開設された複数の通水部５１ｆと、を備えている。凹部５１ｃの底面５１ｄは係止部１１ｂに向かって下り勾配をなすように傾斜している。
【００４４】
複数の通水部５１ｆは、凹部５１ｃの底面５１ｄの中心線Ｃ１と平行に形成され、それぞれの横断面は扇形をなしている。また、通水部５１ｆの湯水の流れ方向Ｄの最短部の長さＬ２は、通水部５１ｆの流れ方向Ｄと直交する横断面の最大幅５１ｅ以上となるように形成されている。嵌込部材５１は、流れ方向Ｄの長さがその最大幅５１ｅより大である複数の通水部５１ｆが中心線Ｃ１の回りに均等配列された状態となるため、通水部５１ｆを流動する湯水の流れが整流化され、異音を減少させることができる。
【産業上の利用可能性】
【００４５】
本発明の湯水混合バルブユニットは、キッチンの流し台に設置される湯水混合水栓などの構成部品として広く利用することができる。
【図面の簡単な説明】
【００４６】
【図１】本発明の実施の形態である湯水混合バルブユニットが組み込まれた湯水混合水栓を示す垂直部分断面図である。
【図２】図１におけるＡ−Ａ線断面図である。
【図３】図１に示す湯水混合バルブユニットの拡大断面図である。
【図４】図３に示す湯水混合バルブを構成する固定弁体及び嵌込部材を示す斜視図である。
【図５】図４に示す固定弁体の側面図である。
【図６】図４に示す固定弁体を下方から見た斜視図である。
【図７】図４に示す嵌込部材の斜視図である。
【図８】図７に示す嵌込部材の底面図である。
【図９】図７に示す嵌込部材の垂直断面図である。
【図１０】図９に示す嵌込部材における湯水の流れを示す模式図である。
【図１１】嵌込部材に関するその他の実施の形態を示す斜視図である。
【図１２】図１１に示す嵌込部材の斜視図である。
【図１３】図１１に示す嵌込部材の斜視図である。
【図１４】図１１に示す嵌込部材の斜視図である。
【図１５】図１１に示す嵌込部材の平面図である
【図１６】図１１に示す嵌込部材の底面図である。
【図１７】図１１に示す嵌込部材の垂直断面図である。
【図１８】図１１に示す嵌込部材における湯水の流れを示す模式図である。
【図１９】その他の実施の形態である嵌込部材を示す平面図である。
【図２０】図１９に示す嵌込部材の底面図である。
【図２１】図１９に示す嵌込部材の垂直断面図である。
【図２２】図１９に示す嵌込部材における湯水の流れを示す模式図である。
【図２３】その他の実施の形態である嵌込部材を示す斜視図である。
【図２４】図２３に示す嵌込部材の斜視図である。
【図２５】図２３に示す嵌込部材の平面図である。
【図２６】図２３に示す嵌込部材の底面図である。
【図２７】図２３に示す嵌込部材の模式図である。
【図２８】図２３に示す嵌込部材の垂直断面図である。
【図２９】図２３に示す嵌込部材における湯水の流れを示す模式図である。
【図３０】その他の実施の形態である嵌込部材の構造を模式的に示す斜視図である。
【図３１】図３０に示す嵌込部材を別の角度から見た斜視図である。
【図３２】図３０に示す嵌込部材の垂直断面図である。
【符号の説明】
【００４７】
１  湯水混合栓
２  操作レバー
３  吐水部
３ａ  吐水口
４  水栓本体部
５  設置面
６  水路部材
６ａ  湯水路
６ｃ  給水路
６ｈ  給湯路
６ｖ，６ｗ  壁面
７  パッキンガイド
７ａ  湯水流出孔部
７ｂ  係止凹部
７ｃ  給水流入孔部
７ｈ  給湯流入孔部
８  弁座
９  可動弁体
１０  混合バルブユニット
１０ａ  ハウジング
１１，２１，３１，４１，５１  嵌込部材
１１ａ，２１ａ，３１ａ，４１ａ，５１ａ  本体部
１１ｂ  係止部
１１ｃ，２１ｃ，４１ｃ，５１ｃ  凹部
１１ｄ，１１ｇ，２１ｄ，２１ｇ，３１ｇ，４１ｄ，５１ｄ，５１ｇ  底面
１１ｅ，５１ｅ  最大幅
１１ｆ，２１ｆ，３１ｆ，４１ｆ，５１ｆ  通水部
１２  固定弁体
１３  連接部材
１４  支軸
２１ｈ  開口
３１ｃ  上端面
４１ｊ  平面部
Ｃ  中心線
Ｃ１  中心線
Ｄ  流れ方向
Ｌ１，Ｌ２  最短部の長さ
【図１】
2010084859.tif 000003
【図２】
2010084859.tif 000004
【図３】
2010084859.tif 000005
【図４】
2010084859.tif 000006
【図５】
2010084859.tif 000007
【図６】
2010084859.tif 000008
【図７】
2010084859.tif 000009
【図８】
2010084859.tif 000010
【図９】
2010084859.tif 000011
【図１０】
2010084859.tif 000012
【図１１】
2010084859.tif 000013
【図１２】
2010084859.tif 000014
【図１３】
2010084859.tif 000015
【図１４】
2010084859.tif 000016
【図１５】
2010084859.tif 000017
【図１６】
2010084859.tif 000018
【図１７】
2010084859.tif 000019
【図１８】
2010084859.tif 000020
【図１９】
2010084859.tif 000021
【図２０】
2010084859.tif 000022
【図２１】
2010084859.tif 000023
【図２２】
2010084859.tif 000024
【図２３】
2010084859.tif 000025
【図２４】
2010084859.tif 000026
【図２５】
2010084859.tif 000027
【図２６】
2010084859.tif 000028
【図２７】
2010084859.tif 000029
【図２８】
2010084859.tif 000030
【図２９】
2010084859.tif 000031
【図３０】
2010084859.tif 000032
【図３１】
2010084859.tif 000033
【図３２】
2010084859.tif 000034